(57)【要約】      （修正有）【課題】植物育成室内に水平層流を形成可能な給気パネルを提供する。【解決手段】植物育成室用給気パネル１００は、内部空間へ空気を流入する空気流入口１１ａを有するパネル本体１と、パネル本体１の表壁１１の少なくとも一部を構成し、多数の円形の給気孔２ａを有する多孔板２と、多孔板２の裏面に垂設される格子壁３と、格子壁３に区画される風向矯正室と、パネル本体１の内部空間を流入口１１ａに連通する前室と風向矯正室に連通する給気室とに隔離する隔離壁５と、隔離壁５に設けられ前室と給気室とを連通すべく隔離壁５に設けられる風量調節孔６２、及び風量調節孔６２の開口面積を調節するダンパー６１を有し前室から給気室へ流入する風量を調節する風量調節手段６とを備えている。風量調節手段６が、空気流入口１１ａから距離の異なる位置に複数設けられている。【選択図】図１
0003197223.tif 000002
【実用新案登録請求の範囲】
【請求項１】
植物育成室の側壁に設置されて該植物育成室内へ空気を供給する植物育成室用給気パネルであって、
内部空間を有する中空の板状をなし該内部空間へ空気を流入する空気流入口を有するパネル本体と、
前記パネル本体の表壁の少なくとも一部を構成し多数の円形の給気孔を有する多孔板と、
前記多孔板の裏面に垂設される格子壁と、
前記格子壁に区画される風向矯正室と、
前記パネル本体の内部空間を前記流入口に連通する前室、及び前記風向矯正室に連通する給気室に隔離する隔離壁と、
前記隔離壁に設けられ前記前室と前記給気室とを連通すべく前記隔離壁に設けられる風量調節孔、及び前記風量調節孔の開口面積を調節するダンパーを有し前記前室から前記給気室へ流入する風量を調節する風量調節手段と
を備え、
前記風量調節手段が、前記空気流入口から距離の異なる位置に複数設けられていることを特徴とする植物育成室用給気パネル。
【請求項２】
前記風量調節孔が、円形をなし、前記ダンパーが前記風量調節孔に先端を出入させて前記風量調節孔を通る風量を調節する円錐形ダンパーからなる請求項１に記載の植物育成室用給気パネル。
【請求項３】
前記隔壁は、前記表壁に平行な平面壁を有し、前記風量調節孔は、前記平面壁に設けられ、前記円錐形ダンパーは、前記平面壁に垂直に進退する請求項２に記載の植物育成室用給気パネル。
【考案の詳細な説明】
【技術分野】
【０００１】
この考案は、育苗等を行う植物育成室へ温湿度等を調節した空気の給気を行う給気パネルに関し、詳細には、植物育成室の壁面に設置して植物育成室内へ水平層流を供給する給気パネルに関する。
【背景技術】
【０００２】
本考案者は、かかる給気パネルの開発に取り組んでおり、本考案に先立ち、図８に示すような縦長のスリットを給気孔９０１とした給気パネル９００を試作している。この給気パネル９００は、中空の扁平直方体の板状をなし植物育成室の壁面に貼設するもので、空気流入口から内部空間に流入させた空気を室内側となる表壁に設けた給気孔９０１から噴出して室内に水平層流を形成することを目的とするものである。
【０００３】
ところが、前記試作の給気パネル９００を用いてスイカの発芽試験を行ったところ、十分な育成を行うことができず、これは、縦長スリットからなる給気孔９０１から吹き出される空気がやや下向きに吹き出し、スイカを栽培している土の表面に風が当たって土を乾燥させるためであると判明した。そこで、本考案者は、給気孔を縦長のスリットに代えて円形孔とするとともに、給気パネルの表壁の内面側に空気の給気方向を水平方向に矯正する格子壁を設けることに想到する。
【０００４】
一方、このような給気を行う壁面において給気を水平方向に矯正する上記格子壁と同様の構成が、特許文献１で提案された人工環境装置に採用されている。特許文献１の人工環境装置は、育苗室の天井内に空調室を設け、育苗室の対向する側壁の内側にそれぞれ吹き込み室と吸い込み室を設け、空調室から吹き込み室へ送られた空気は吹き込み室のハニカム構造の壁から育苗室に吹き込まれ、吸い込み室の多孔板構造の壁を通って吸い込まれ、空調室内の通風路を通って再度吹き込み室へと送られて循環されるものである。特許文献１の人工環境装置では、この吹き込み室のハニカム構造の壁が噴き出す空気を水平方向に矯正する。
【先行技術文献】
【特許文献】
【０００５】
【特許文献１】特開平１１−９８９２４号公報
【考案の概要】
【考案が解決しようとする課題】
【０００６】
しかし、本考案者の想到した上記の給気パネルや特許文献１の装置では、給気パネル（特許文献１では吹き込み室）へ空気を流入させる流入口からの給気孔までの距離により各給気孔の内側の空気圧が異なるため、各給気孔から吹き出す空気の速度に大小が生じることから速度の大きい空気が速度の小さい空気の方へ傾いて給気が正確に水平に噴出しないという問題が有る。
本考案は上記課題に鑑みてなされたものであり、各給気口からの空気の噴出速度を可及的に一定にして植物育成室内に十分に水平な層流を形成可能な給気パネルの提供を目的とする。
【課題を解決するための手段】
【０００７】
上記課題を解決するためになされた考案は、植物育成室の側壁に設置されて該植物育成室内へ空気を供給する植物育成室用給気パネルであって、内部空間を有する中空の板状をなし該内部空間へ空気を流入する空気流入口を有するパネル本体と、前記パネル本体の表壁の少なくとも一部を構成し多数の円形の給気孔を有する多孔板と、前記多孔板の裏面に垂設される格子壁と、前記格子壁に区画される風向矯正室と、前記パネル本体の内部空間を前記流入口に連通する前室、及び前記風向矯正室に連通する給気室に隔離する隔離壁と、前記隔離壁に設けられ前記前室と前記給気室とを連通すべく前記隔離壁に設けられる風量調節孔、及び前記風量調節孔の開口面積を調節するダンパーを有し前記前室から前記給気室へ流入する風量を調節する風量調節手段とを備え、前記風量調節手段が、前記空気流入口から距離の異なる位置に複数設けられていることを特徴とする。
【０００８】
本考案に係る植物育成室用給気パネルは、このように、パネル本体の内部空間を風向矯正室に連通する給気室と流入口に連通する前室とに隔離すべく隔離壁を設け、空気流入口から流入した空気をいったん前室に取り込んだのち、隔離壁に設けた風量調節孔を通して前室から給気室へ空気を移すことにより、給気室内部の気圧のバラつきを抑制できることから、各給気孔から噴出される空気の速度のバラつきを抑制することができる。
また、前室から給気室へ流入する風量を調節する風量調節手段を、前記空気流入口から距離の異なる位置に複数設けることにより、空気流入口から遠いために風量が大きくなりがちな風量調節手段ほど開口を小さくすることで、給気室内の気圧のバラつきを、さらに抑制することができる。
【０００９】
前記風量調節孔が、円形をなし、前記ダンパーが前記風量調節孔に先端を出入させて前記風量調節孔を通る風量を調節する円錐形ダンパーからなることが好ましい。こうすることで、前室から給気室へ均等に空気を流入させることができる。
【００１０】
また、前記隔壁は、前記表壁に平行な平面壁を有し、前記風量調節孔は、前記平面壁に設けられ、前記円錐形ダンパーは、前記平面壁に垂直に進退することが好ましい。こうすることで、円形の風量調節孔の各部から多孔板までの距離が一定になるため、給気孔と多孔板との間の気圧のバラつきをさらに抑制できる。
【考案の効果】
【００１１】
以上説明したように、本考案の植物育成室用給気パネルによれば、給気室内の気圧のバラつきを抑制でき、ひいては、給気孔からの空気の噴出速度のバラつきを抑制できるため各給気孔からの空気の噴出速度を可及的に一定にして植物育成室内に十分に水平な層流を形成できる。
【図面の簡単な説明】
【００１２】
【図１】本考案の一の実施形態に係る植物育成室用給気パネルの部分断面正面図である。
【図２】図１のＩ‐Ｉ線断面図である。
【図３】図１のII‐II線断面図である。
【図４】図３の（ａ）風量調節孔周辺の拡大図（ｂ）多孔板、及び格子壁の拡大図である。
【図５】図１に示した植物育成室用給気パネルの風量調節手段に用いる円錐形ダンパーの（ａ）III−III線断面図（ｂ）平面図（ｃ）側面図である。
【図６】図１に示した植物育成室用給気パネルの風量調節手段に用いるベルマウスの（ａ）IV−IV線断面図（ｂ）平面図（ｃ）側面図である。
【図７】図１に示した植物育成室用給気パネルを用いた植物育成室の平面図である。
【図８】本考案者が本考案に先だって試作した給気パネルである。
【考案を実施するための形態】
【００１３】
以下、適宜図面を用いながら本考案の実施形態について詳述する。ただし、本考案の植物育成室用給気パネルは、下記の実施形態に限られるものではない。
図１乃至図３は、本考案の一の実施形態に係る植物育成室用給気パネル１００を示す。植物育成室用給気パネル１００は、中空の板状をなすパネル本体１と、パネル本体１の表壁１１の一部を構成する多孔板２と、多孔板２の裏面に垂設される格子壁３と、パネル本体１の内部空間４を前室４１と給気室４２（図２、図３参照）に仕切る隔離壁５と、隔離壁５に設けられて前室４１から給気室４２へ流入する空気の風量を調節する風量調節手段６とを備えている。
尚、以下の説明において、植物育成室用給気パネル１００を植物育成室Ａに設置した際に、鉛直方向、水平方向となる方向を、それぞれ植物育成室用給気パネル１００の鉛直方向、水平方向とする。
【００１４】
パネル本体１は、図４に示すように、硬質ウレタンを鋼板によりサンドイッチしたサンドイッチ鋼板により形成される。パネル本体１は、図１に示したように、扁平直方体の箱型をなし、表壁１１、裏壁１２、上壁１３、左壁１４、右壁１５及び下壁１６を備えている。パネル本体１の表壁１１の上部には、天井裏の空調機Ａ１（図７参照）からの空気を流送する丸ダクトＡ３に連結する流入口１１ａが設けられている。表壁１１は、矩形の開口部１１ｂを有する枠部１１１と、開口部１１ｂを塞ぐ多孔板２とを備えている。
【００１５】
多孔板２は、鋼板にパンチングにより多数の円形孔２ａを設けた矩形のパンチングボードの四方の端辺を折り曲げて扁平の箱型に形成され、当該多数の円形孔２ａが給気孔２ａとなる。多孔板２は、図４（ａ）に示すように、裏面に重ねた格子壁３とともに、パネル本体１の開口部１１１ａを外側から塞いで、外周部をタッピングネジ２１によりパネル本体１の枠部１１１に固定されている。また、多孔板２は、後述する風量調節手段６のボルト６５を回動させるための４個のボルト操作用孔２ｂを備えている（図４参照）。ボルト操作用孔２ｂは、通常はキャップ７により塞がれており、ボルト６５を操作するときにキャップ７を外してボルト６５を操作する。尚、図２、図３では、ボルト操作用孔２ｂ、及びキャップ７は省略している。
【００１６】
格子壁３は、縦横に井桁状に交差する多数の帯板３１により構成され、帯板３１の幅方向が格子壁３の厚み方向をなし、多孔壁２に対し帯板３１の幅方向が垂直となるよう多孔壁２の裏面に貼設されている。格子壁３は、内部に縦横の帯板３１により区切られた多数の略四角柱の風向矯正室３２を備えている。ただし、格子壁は、本実施形態のように、縦横に交差するものに限らず、風向矯正室を取り囲む壁が多孔板２に対し垂直であれば、例えばハニカム構造など、風向矯正室が四角柱以外の多角柱や円柱等に形成されるものも含む。格子壁３は、金属により形成してもよいし樹脂により形成してもよい。
【００１７】
隔離壁５は、図２に示すように、表壁１１に平行な平面壁５１と、この平面壁５１の四方を囲む側壁５２とを備えている。隔離壁５は、１つの開口部１１ｂ（１つの多孔板２）に対し１つずつ設けられ、パネル本体１の表壁１１と裏壁１２の間において、パネル本体１の内部空間を風向矯正室３２に連通する３つの給気室４１と１つの前室４２とに隔離する。給気室４１は、隔離壁５と表壁１１により、略扁平の直方体状の空間に形成されている。
【００１８】
隔離壁５の平面壁５１には、風量調節手段６が鉛直方向に４つ並べて設けられている。
風量調節手段６は、隔離壁５の平面壁５１に設けられた円形の風量調節孔６２と、円錐形ダンパー６１とからなる。風量調節孔６２は、平面壁５１に設けられた円形孔５１ａに挿通されたベルマウス６２により構成されている。円錐形ダンパー６１は、パネル本体１の裏壁１２に垂設されたフランジ付ナット６４とフランジ付ナット６４に螺合するボルト６５により裏壁１２に連結され、ボルト６５を回動することにより風量調節孔６２に対し出入して、風量調節孔６２を通して前室４１から給気室４２へ流入する風量を調節する。
【００１９】
次に、上述した構成を有する植物育成室用給気パネル１００の使用方法、及び作用・効果について説明する。
図７は、本考案に係る植物育成室用給気パネル１００を備えた植物育成室Ａを示している。図７中、左側の壁面には、給気パネル１００が５枚、右側の壁面には３枚配設されている。給気パネル１００の前側に設けられた多段の育成棚Ｂ上で、植物Ｐが育成されている。植物育成室Ａは、天井裏に設けた空調機Ａ１から、角ダクトＡ２、丸ダクトＡ３、Ａ４を介して給気パネル１００に空気を供給するよう構成されている。
【００２０】
丸ダクトＡ４から流入口１１ａへ送られた空気は給気パネル１００の前室４１に流入したのち、４個の風量調節手段６の風量調節孔６２を介して、給気室４２に流入する。この際、４個の風量調節孔６２の開口量を全て同じにすると、流入口１１ａから遠い風量調節孔６２ほど風量が大きくなるため、ボルト６５を回動させて、流入口１３ａから遠い風量調節手段６ほど風量調節孔６２の開口が小さくなるよう円錐形ダンパー６１を進退させ、各風量調節孔６２から給気室４２へ流入する風量が概ね等しくなるよう調節する。
【００２１】
このように、各風量調節孔６２から給気室４２へ流入する風量を等しくすることで、給気室４２内部の気圧のバラつきを抑制でき、ひいては、各給気孔２ａから植物育成室Ａへ吸気される風量のバラつきが抑制される。すると、風量の多い給気孔２ａから噴出された空気が風量の弱い給気孔２ａの方へ傾斜する現象が抑制される。
こうして、給気孔２ａから噴出される空気がより正確に水平層流を形成し、空気が植物を育成している土に当たりにくくなるため、土が乾燥することを抑制できる。
【００２２】
本考案の植物育成室用給気パネルは、上記の実施の形態に限られるものではなく、例えば、上記の実施形態では、１つの給気パネルに、多孔板２、格子壁３、隔離壁５及び４個の風量調節手段６からなる組み合わせが、１組だけ設けられたが、この組み合わせを、１つのパネルにつき複数設けることもできる。また、１つの給気室に設けられる風量調節手段は、複数あれば４個でなくともよい。風量調節手段は、円錐形ダンパー以外のダンパーを用いることもできる。前室を複数に分割することもできるし、流入口は２つに限らず１つでも３つ以上でもよい。
【符号の説明】
【００２３】
１００  植物育成室用給気パネル
１  パネル本体
１１  表壁
１１ａ  空気流入口
２  多孔板
２ａ  給気孔
３  格子壁
３２  風向矯正室
４  内部空間
４１  前室
４２  給気室
５  隔離壁
５１  平面壁
６  風量調節手段
６１  風量調節孔
６２  円錐形ダンパー（ダンパー）
Ａ  植物育成室
【図１】
0003197223.tif 000003
【図２】
0003197223.tif 000004
【図３】
0003197223.tif 000005
【図４】
0003197223.tif 000006
【図５】
0003197223.tif 000007
【図６】
0003197223.tif 000008
【図７】
0003197223.tif 000009
【図８】
0003197223.tif 000010